【事件の表示】
　平成　７年特許願第２２８９６８号「液晶表示装置、及びその製造方法」拒絶査定不服審判事件〔平成　９年　３月１８日出願公開、特開平　９−　７３０９３〕について、次のとおり審決する。
【結　論】
　本件審判の請求は、成り立たない。
【理　由】
１．手続の経緯 　  
 　本願は、平成７年９月６日の出願であって、平成１７年６月８日付で拒絶査定がなされ、これに対し同年７月１４日付で拒絶査定に対する審判請求がなされるとともに同年８月１１日付で手続補正がなされたものである。　  　  
 ２．平成１７年８月１１日付の手続補正についての補正却下の決定 　  
 ［補正却下の決定の結論］  
 　平成１７年８月１１日付の手続補正（以下、「本件補正」という。）を却下する。  
 ［理由］  
 （１）補正の内容  
 　本件補正は、補正前の請求項４を、以下のように補正することを含むものである。  
 「【請求項４】第１の基板と第２の基板とに液晶が挟持され、
　前記第１の基板には、前記第１の基板と前記第２の基板との間隔を保つ複数の柱状スペーサーと、前記液晶に電圧を与える第１の電極とを備え、
　前記第２の基板には前記液晶に電圧を与える第２の電極を備えた液晶表示装置において、
　前記第１の電極と第２の電極のうち一方はマトリクス状に配列され、
　前記液晶表示装置は
、表示を行う表示領域に配置された柱状スペーサーと、前記表示領域の柱状スペーサーと高さをあわせるために表示外領域に配置された柱状スペーサーおよびその下のダミーパターンと、前記柱状スペーサーおよびダミーパターンが配置された領域の外側に形成されたシール材とを具備し、
 　  
 　上記補正は、請求項４に記載した発明に係る「シール材により封止された外周部に表示を行わない表示外領域と、その内側に表示を行う表示領域とが存在し」との事項を、「表示を行う表示領域に配置された柱状スペーサーと、前記表示領域の柱状スペーサーと高さをあわせるために表示外領域に配置された柱状スペーサーおよびその下のダミーパターンと、前記柱状スペーサーおよびダミーパターンが配置された領域の外側に形成されたシール材とを具備し」と、より限定し具体化するものであって、特許法第１７条の２第４項第２号の特許請求の範囲の減縮を目的とするものである。　 
　 
 　そこで、本件補正後の請求項４に記載された発明（以下、「本件補正発明」という。）が特許出願の際独立して特許を受けることができるものであるか（特許法第１７条の２第５項において準用する同法第１２６条第５項の規定に適合するか）について以下に検討する。  
 　  
 （２）先願明細書記載の発明　  
 　原査定の理由に引用された特願平７−２０１０３８号（特開平９−４９９１６号公報参照）の願書に最初に添付された明細書及び図面（以下「先願明細書」という。）には、図面とともに以下の事項が記載されている。　 
 　  
ア．「【特許請求の範囲】
・・・・・・・・・・・・・・・・・・・・・・・・・・・・・・・・・　
　【請求項１０】透明電極基板と透明電極を有するカラーフィルタにより液晶層を狭持したカラー液晶表示装置において、カラーフィルタが、透明基板上に樹脂中に遮光剤を分散させてなる樹脂ブラックマトリクスと３原色からなる着色層を設けたカラーフィルタであり、
　（Ａ）前記樹脂ブラックマトリクスが表示領域内のマトリクスおよび表示領域周辺部に設けられた額縁とさらに額縁周辺のシール部に相当する領域に設けられた独立したパターンを形成し、
　（Ｂ）前記樹脂ブラックマトリクスの表示領域内のマトリクスおよび表示領域周辺部に設けられた独立したパターン上に３原色からなる着色層の積層により形成されたスペーサーを有することを特徴とするカラー液晶表示装置。
　【請求項１１】透明電極基板がカラーフィルタのスペーサーと接触する部位に絶縁膜を有することを特徴とする請求項１０記載のカラー液晶表示装置。 」　  
 　  
イ．「【０００７】さらに、カラーフィルタにおける画素部と額縁部の厚みが異なり、かつ、額縁部へのスペーサーの散布密度が画素部に比較して低くなり易いため、そのような状態で決まるセルギャップの不均一性を反映して、額縁に近い画面に干渉縞を生じるなどの不具合が起こり易かった。　　　　【０００８】特開昭５６−１４０３２４、特開昭６３−８２４０５、特開平４−９３９２４、特開平５−１９６９４６では、２色あるいは３色の着色層を重ね合わせた構造をスペーサーとして用ることが提案されている。これら開示技術で実際に得られる液晶層の厚み（セルギャップ）は、着色層の１層あるいは２層分の厚みとなり、十分なセルギャップを持った液晶表示装置を得ることが難しく、また、着色層の１層あるいは２層分の厚みでセルギャップを保持できたとしても着色層の厚膜化に伴う、例えば、カラーフィルタ上に形成されるＩＴＯ膜の耐久性の低下など、満足な信頼性を有する液晶表示装置が得られにくかった。
　【０００９】更に、着色層を重ね合わせた構造を持つスペーサーが画素部周辺のみに存在することから上記のように画面周辺部においてセルギャップを均一に保持することが難しいという問題点があった。」
　
ウ．「【００１１】本発明は、前記の問題点に鑑み、十分なセルギャップを実現するとともに、画面全体で均一なセルギャップを保持し、前記した従来の欠点を克服するカラーフィルタおよびカラー液晶表示装置を提供することを目的とするものである。
　【００１２】【課題を解決するための手段】前記目的を達成するために、本発明のカラーフィルタおよびカラー液晶表示装置は、以下の構成を有するものである。
　【００１３】すなわち、本発明は・・・透明電極基板と透明電極を有するカラーフィルタにより液晶層を狭持したカラー液晶表示装置において、カラーフィルタが、透明基板上に樹脂中に遮光剤を分散させてなる樹脂ブラックマトリクスと３原色からなる着色層を設けたカラーフィルタであり、（Ａ）前記樹脂ブラックマトリクスが表示領域内のマトリクスおよび表示領域周辺部に設けられた額縁とさらに額縁周辺のシール部に相当する領域に設けられた独立したパターンを形成し、（Ｂ）前記樹脂ブラックマトリクスの表示領域内のマトリクスおよび表示領域周辺部に設けられた独立したパターン上に３原色からなる着色層の積層により形成されたスペーサーを有することを特徴とするカラー液晶表示装置である。」　  
 　  
エ．「【００１４】【発明の実施の形態】本発明を以下に詳細に説明する。
　【００１５】本発明の液晶表示装置に使用するカラーフィルタは、透明基板上に樹脂および遮光剤からなる樹脂ブラックマトリクスを設け、さらにその上に３原色からなる着色層を複数配列したものである。カラーフィルタは３原色からなる各着色層により被覆された画素を一絵素とし、多数の絵素により構成されている。ここで言うブラックマトリクスは、表示領域内のマトリクス、すなわち、各画素間に配列された遮光領域を形成するとともに、表示領域周辺部に設けられた額縁および額縁周辺のシール部（液晶表示装置を作成の基板貼り合わせ時にシール剤を塗布する部分）に相当する領域に設けられた独立したパターンを形成する。表示領域内のマトリクスは液晶表示装置の表示コントラストを向上させるために設けられており、表示領域周辺部に設けられた額縁は画面周辺部における光の漏れ込みを防ぐために形成されている。」　 
　 
オ．「【００３９】上記のように樹脂ブラックマトリクスを形成した基板上に第１色目の着色層を全面にわったて形成した後に、不必要な部分をフォトリソグラフィ法により除去し、所望の第１色目の着色層のパターンを形成する。この場合、樹脂ブラックマトリクスの開口部を少なくとも被覆する部分と着色層の積層によりスペーサーを形成する部分に着色層を残す。着色層の積層によるスペーサーを形成する部分は表示領域内のマトリクス上および額縁周辺部のシール部に相当する領域上の双方である。また、スペーサーによるセルギャップの制御をより均一に行うために、着色層の積層によるスペーサーを表示領域周辺部に設けられた額縁上にも形成することができる。第２色目、第３色目も同様な操作を繰り返し、樹脂ブラックマトリクスの開口部上には１層の着色層が、また、スペーサーには３層の着色層が残るように着色層を形成する。・・・
　【００４０】３原色の着色層の膜厚は、特に限定されないが、１層当たり１〜３μｍであることが好ましく、この場合の３原色の着色層の各膜厚の合計は、３〜９μｍとなる。合計膜厚が３μｍよりも小さい場合には、十分なセルギャップが得られず、また、９μｍを越える場合には、着色層の均一塗布が難しくなり、さらにカラーフィルタ上に形成される透明導電膜の信頼性が低下し、好ましくない。
　【００４１】発明のカラーフィルタを用いてセルギャップを保持した場合は、例えば、３原色としてＲ、Ｇ、Ｂを選んだ場合、Ｒに対してはＧ＋Ｂ＋Ｂｋ（樹脂ブラックマトリクス）の膜厚が、Ｇに対してはＢ＋Ｒ＋Ｂｋの膜厚が、また、Ｂに対してはＲ＋Ｇ＋Ｂｋの膜厚が液晶表示装置におけるセルギャップに相当することになる。・・・
　【００４２】本発明における３原色からなる着色層の積層により形成されたスペーサーが樹脂ブラックマトリクスの表示領域内のマトリクス上、表示領域周辺部に設けられた額縁周辺のシール部、場合によっては額縁上に形成されるが、スペーサーの面積や配置場所は液晶表示装置を作成する場合にカラーフィルタと対向する透明電極基板（アクテイブマトリクス基板）の構造に大きく影響を受ける。そのため対向する透明電極基板側の制約がない場合は、スペーサーの面積や配置場所は、特に限定されないが、画素のサイズを考えた場合、表示領域内のマトリクス上に設けられるスペーサーひとつ当たりの面積は、１０μｍ2 〜１０００μｍ2 であることが好ましい。・・・また、額縁周辺部のシール部に相当する領域および
表示領域周辺部に設けられた額縁上のスペーサーの面積は、
表示領域内のマトリクス上に設けられるスペーサーとは面積を変えることも、
可能である。
表示領域内のマトリクス上に設けられるスペーサーよりも面積を大きくしても差支えない。
　【００４３】また、本発明では、透明電極基板がカラーフィルタのスペーサーと接触する部位（ただし、透明導電膜が成膜されない額縁周辺部のシール部を除く）に絶縁膜を形成することが好ましい。スペーサー上にも均一に透明導電膜が形成されており、対向基板である透明電極基板側の透明導電膜や回路と極く薄い配向膜を挟んで近接・接触し、電気的に短絡してしまう危険が大きい。スペーサーと接触する部位の絶縁膜は、抵抗値の大きい無機酸化物あるいはポリマーから選ばれる。・・・
　【００４４】スペーサーと接触する部位の絶縁膜は、ＴＦＴの形成工程中あるいは別途設けられた工程で設置する。絶縁膜の設置位置は、表示のための開口部を除いて任意に選べる。ＴＦＴ上でも配線上でも、また、額縁上でも、絶縁面積としてはスペーサーの面積より大きくして位置ズレが多少起こっても導通しないよう配慮する。
　【００４５】透明導電膜が成膜されない額縁周辺部のシール部では絶縁膜を形成してもしなくても良い。
　【００４６】以上の透明電極基板側への絶縁膜の設置により、カラーフィルタのスペーサーと透明電極基板との導通の危険性をより確実に回避することができる。」　  
 　  
カ．「【００４７】次に本発明のカラーフィルタを用いて作成したカラー液晶表示装置について説明する。本発明のカラー液晶表示装置を図１，２に示す。上記カラーフィルタと透明電極基板とを対向させて作成する。図２には、樹脂ブラックマトリクスの表示領域内のマトリクス上、表示領域周辺部に設けられた額縁上、および、額縁周辺のシール部に相当する領域に設けられた独立したパターン上の全てに３原色からなる着色層の積層により形成されたスペーサーが配置されたカラーフィルタの例を平面図として示す。カラーフィルタには、必要に応じて着色層上に透明保護膜を設けても差支えないが、構成が複雑になり、製造コストを考えた場合に不利である。また、カラーフィルタ上にはＩＴＯ膜などの透明電極を形成する。カラーフィルタと対向する透明電極基板としては、ＩＴＯ膜などの透明電極が透明基板上にパターン化されて設けられる。透明電極基板上には、透明電極以外に、薄膜トランジスタ（ＴＦＴ）素子や薄膜ダイオード（ＴＦＤ）素子、および走査線、信号線などとともに本発明の絶縁部位を設け、ＴＦＴ液晶表示装置やＴＦＤ液晶表示装置を作成することができる。透明電極を有するカラーフィルタおよび透明電極基板上には液晶配向膜が設けられ、ラビングなどによる配向処理が施される。配向処理後にシール剤を用いてカラーフィルタおよび透明電極基板を貼り合わせ、シール部に設けられた注入口から液晶を注入した後に、注入口を封止する。偏光板を基板の外側に貼り合わせた後にＩＣドライバー等を実装することによりモジュールが完成する。」　  
 　  
キ．「【００５０】【実施例】（樹脂ブラックマトリクスおよびシール部パターンの作成）・・・
・・・・・・・・・・・・・・・・・・・・・・・・・・・・・・・・・
　【００５３】・・・シール部パターンと額縁を有する樹脂ブラックマトリクス基板を得た。・・・
　【００５４】（着色層の作成）・・・　まず、樹脂ブラックマトリクス基板上に青ペーストを塗布し、・・・着色画素部の膜厚は２．０μｍであった。このパターニングにより青色画素の形成とともに樹脂ブラックマトリクス上、額縁上、および、額縁周辺部のシール部パターン上にスペーサーの１段目を形成した。
　【００５５】水洗後に、同様にして、赤色画素の形成とともに樹脂ブラックマトリクス上、額縁上、および、額縁周辺部のシール部パターン上にスペーサーの２段目を形成した。赤色画素部の膜厚は、１．８μｍであった。
　【００５６】さらに水洗後に、同様にして、緑色画素の形成とともに樹脂ブラックマトリクス上、額縁上、および、額縁周辺部のシール部パターン上にスペーサーの３段目を形成し、カラーフィルタを作成した。緑色画素部の膜厚は、１．９μｍであった。
　【００５７】着色層の積層により樹脂ブラックマトリクス上、額縁上、および、額縁周辺部のシール部パターン上に設けられたスペーサーの面積は、いずれも一個当たり約２００μｍ2 とした。スペーサーの高さ（樹脂ブラックマトリクス上、額縁上、シール部パターン上の着色層３層分の厚さ）は、５．０μｍであり、これは着色層の各膜厚の合計（５．７μｍ）よりも低い。なおスペーサーは、２画素に１個の割合で画面内に設けた。また画面周辺部の樹脂ブラックマトリクスで形成した額縁上にも画面内と同様な密度で色重ねによるスペーサーを設けた。額縁周辺部のシール部パターン上のスペーサーも同様な密度で形成した。シール部パターンの面積はスペーサーの約２倍とした。
　【００５８】（カラー液晶表示装置の作成）上記カラーフィルタ上にスパッタリング法によりＩＴＯ膜をマスク成膜した。・・・
　【００５９】一方、ＴＦＴ（薄膜トランジスタ）素子を備えた透明電極基板は以下のように作成した。
　【００６０】・・・ゲート電極をパターニングした。次に、・・・シリコンナイトライド膜（ＳｉＮｘ）を形成し、絶縁膜とした。引き続いて、アモルファスシリコン膜（ａ−Ｓｉ）およびエッチングストッパ膜層としてのＳｉＮｘを連続形成した。次に、フォトエッチングの手法によってエッチングストッパ層のＳｉＮｘをパターニングした。この時、スペーサと接触する部位はエッチングせず、一個当たり面積を約２５０μｍ2 として残した。オーミックコンタクトをとるためのｎ＋ａ−Ｓｉの成膜とパターニング、さらに、表示電極となる透明電極（ＩＴＯ）を成膜し、パターニングした。この時、スペーサと接触する部位をエッチングして、一個当たりの面積約２５０μｍ2 の透明電極がなく下地のＳｉＮｘが剥きだしとなる部分を作成した。さらに配線材料としてのアルミの全面蒸着を行い、フォトエッチングの手法によってドレイン電極とソース電極を作成した際、前記したスペーサと接触する部位となる一個当たりの面積約２５０μｍ2 のＳｉＮｘが剥きだし部分に蒸着されたアルミをエッチングにより除いた。ドレイン電極とソース電極をマスクとしてチャンネル部のｎ＋ａ−Ｓｉをエッチング除去し、ＴＦＴを完成させた。
　【００６１】最後に、カラーフィルタ同様にポリイミド系の配向膜を設け、ラビング処理を施した。」
　
ク．「【００６２】配向膜を設けたカラーフィルタと薄膜トランジスタ素子を備えた透明電極基板とをガラス繊維を混練りしないエポキシ接着剤をシール剤として用いて貼り合わせた後に、シール部に設けられた注入口から液晶を注入した。液晶の注入は、空セルを減圧下に放置後、注入口を液晶槽に浸漬し、常圧に戻すことにより行った。液晶を注入後、注入口を封止し、さらに偏光板を基板の外側に貼り合わせセルを作成した。得られた液晶表示装置は、セルギャップの均一性に優れた良好な表示品位のものであった。」　
　
ケ．「【００６３】【発明の効果】　本発明のカラーフィルタは、着色層の積層により形成されたスペーサーを樹脂ブラックマトリクス上および額縁周辺部シール部相当領域に設け、スペーサー位置に対応する透明基板側に絶縁部位を設けたものであり、・・・」　
　
コ．また、【図１】、【図２】によれば、
　「樹脂ブラックマトリクス基板と透明電極基板とに液晶が挟持され、
　前記樹脂ブラックマトリクス基板には、前記樹脂ブラックマトリクス基板と前記透明電極基板との間隔を保つ複数のスペーサーと、前記液晶に電圧を与える透明電極とを備え、
　前記透明電極基板には前記液晶に電圧を与える画素電極を備えた液晶表示装置において、
　前記透明電極と画素電極のうち画素電極はマトリクス状に配列され、
　前記液晶表示装置は、表示を行う表示領域に配置されたスペーサーと、表示領域周辺部である額縁に配置されたスペーサーと、前記額縁の外側に形成されたシール材とを具備した液晶表示装置。」が見て取れる。
　
サ．ここで、摘記オにおける【００４２】の「
表示領域周辺部の額縁上のスペーサーの面積は、表示領域のスペーサーよりも面積を大きくしても差し支えない。
　
　したがって、上記ア〜サによれば、先願明細書には、
「樹脂ブラックマトリクス基板と透明電極基板とに液晶が挟持され、
　前記樹脂ブラックマトリクス基板には、前記樹脂ブラックマトリクス基板と前記透明電極基板との間隔を保つ複数のスペーサーと、前記液晶に電圧を与える透明電極とを備え、
　前記透明電極基板には前記液晶に電圧を与える画素電極を備えた液晶表示装置において、
　前記透明電極と画素電極のうち画素電極はマトリクス状に配列され、
　前記液晶表示装置は、表示を行う表示領域に配置されたスペーサーと、表示領域周辺部に設けられた額縁に配置されたスペーサーと、前記額縁周辺部のシール部とを具備し、
　前記額縁に形成された前記スペーサーの体積が、前記表示領域に形成された前記スペーサーの体積より大きい液晶表示装置。」の発明が記載されている（以下、「先願発明」という。）。
　
 （３）対比 　  
 　本件補正発明と先願発明とを対比すると、
　先願発明の「樹脂ブラックマトリクス基板」、「透明電極基板」、「スペーサー」、「透明電極」、「画素電極」、「表示領域周辺部に設けられた額縁」及び「額縁周辺部のシール部」は、本件補正発明の「第１の基板」、「第２の基板」、「柱状スペーサー」、「第１の電極」、「第２の電極」、「（シール材の内側の）表示外領域」及び「シール材」にそれぞれ相当する。
　
 　したがって、両者は、　  
 「第１の基板と第２の基板とに液晶が挟持され、
　前記第１の基板には、前記第１の基板と前記第２の基板との間隔を保つ複数の柱状スペーサーと、前記液晶に電圧を与える第１の電極とを備え、
　前記第２の基板には前記液晶に電圧を与える第２の電極を備えた液晶表示装置において、
　前記第１の電極と第２の電極のうち第２の電極はマトリクス状に配列され、
　前記液晶表示装置は、表示を行う表示領域に配置された柱状スペーサーと、（シール材の内側の）表示外領域に配置された柱状スペーサーと、前記表示外領域の柱状スペーサーが配置された領域の外側に形成されたシール材とを具備し、前記表示外領域に形成された前記柱状スペーサーの体積が、前記表示領域に形成された前記柱状スペーサーの体積より大きい液晶表示装置。」である点で一致し、次の点で一応相違する。　  
 　  
 相違点：　  
 　本件補正発明は、表示領域の柱状スペーサーと高さをあわせるために、（シール材の内側の）表示外領域に「柱状スペーサーおよびその下のダミーパターン」が配置されているのに対し、先願発明は、（シール材の内側の）表示外領域に「柱状スペーサー」が配置されているが、当該「柱状スペーサー」の下には、表示領域の柱状スペーサーと高さをあわせるために「ダミーパターン」が配置されているか不明である点。　  　　  
　
 （４）判断 　  
 　上記相違点につき検討する。
　 従来、カラー液晶表示装置においては、カラーフィルタにおける画素部と額縁部の厚みが異なり、かつ、表示領域周辺の額縁部へのスペーサの散布密度が、表示領域（画素部）に比較して低くなり易く、これに起因した「セルギャップの不均一性」の課題が指摘されてきた（摘記イ）。そこで、先願発明では、表示領域と共に、シール材の内側の表示外領域（額縁部）にも柱状スペーサを設けることにより、スペーサーによって保持される上下基板の間隔を全面にわたって均一にし、その結果、表示領域内外での「セルギャップの不均一性」を解消したものである（摘記ウ、ク）。
　このような先願発明における課題と解決手段に鑑みれば、額縁部に柱状スペーサを配置する際、表示領域の柱状スペーサと高さをあわせるために、額縁部の柱状スペーサーの下に、ダミーパターンが当然に配置されている、と見るのが相当であり、実際に、先願発明に係る「柱状スペーサー」は、その下で、必ず「絶縁膜」と接触するように配置されており（先願明細書【００６０】、【００６３】）、このうち、額縁部における「絶縁膜」は、本件補正発明に係る「ダミーパターン」に他ならない。
　
　因みに、液晶表示装置の分野では、上下基板間の液晶層の厚みの均一性を保持するために、表示領域と共に、額縁部にもスペーサを配置することは広く行われており、その際には、額縁部のスペーサーと、表示領域のスペーサーとの保持する高さを合わせるために、額縁部のスペーサの下に、表示部と同等の構成材（即ち、ダミーパターン）を設けるのが常である（例えば、特開平６−２３０３４９号公報【００１０】、特開平５−４５６６０号公報【００１７】、特開昭６４−９４２４号公報第２頁左上欄１８行〜同頁右上欄７行、特開平６−６７１８３号公報【００２０】〜【００２２】等参照）。
　
　したがって、先願発明においても、表示領域の柱状スペーサーと高さをあわせるために、（シール材の内側の）表示外領域（額縁部）に「柱状スペーサーおよびその下のダミーパターン」が配置されていると見ることができ、この点で本件補正発明と相違するところはない。
　
　よって、本件補正発明は、先願明細書に記載された発明と実質的に同一であり、しかも、本件補正発明の発明者がその出願前の特許出願に係る上記発明をした者と同一ではなく、また本件補正発明の出願の時において、その出願人が上記発明の出願人とも同一でもないので、本件補正発明は特許法第２９条の２の規定により、特許出願の際独立して特許を受けることができないものである。 　  
 　  
 （５）むすび　  
 　以上のとおり、本件補正は、特許法第１７条の２第５項において準用する同法第１２６条第５項の規定に違反するので、特許法第１５９条第１項において読み替えて準用する同法第５３条第１項の規定により却下すべきものである。　  
 　  
 ３．本件発明について 　  
 （１）本件発明 　  
 　平成１７年８月１１日付の手続補正は上記のとおり却下されたので、本件の請求項に係る発明は、平成１６年１１月８日付手続補正書によって補正された明細書及び図面の記載からみて、その特許請求の範囲の請求項１〜７に記載された事項により特定されるとおりのものと認められるところ、その請求項４に係る発明は次のものである。 　  
 「【請求項４】第１の基板と第２の基板とに液晶が挟持され、
　前記第１の基板には、前記第１の基板と前記第２の基板との間隔を保つ複数の柱状スペーサーと、前記液晶に電圧を与える第１の電極とを備え、
　前記第２の基板には前記液晶に電圧を与える第２の電極を備えた液晶表示装置において、
　前記第１の電極と第２の電極のうち一方はマトリクス状に配列され、
　前記液晶表示装置はシール材により封止された外周部に表示を行わない表示外領域と、その内側に表示を行う表示領域とが存在し、前記表示外領域に形成された前記柱状スペーサーの体積が、前記表示領域に形成された前記柱状スペーサーの体積より大きいことを特徴とする液晶表示装置。 」（以下、「本件発明」という。） 　  
 　  
 （２）先願明細書記載の発明 　  
 　原査定の理由に引用された先願明細書には、上記２．（２）において摘記した事項が記載されている。 　  
 　  
 （３）対比・判断 　  
 　本件発明は、前記２．で検討した本件補正発明に係る「表示を行う表示領域に配置された柱状スペーサーと、前記表示領域の柱状スペーサーと高さをあわせるために表示外領域に配置された柱状スペーサーおよびその下のダミーパターンと、前記柱状スペーサーおよびダミーパターンが配置された領域の外側に形成されたシール材とを具備し」との限定を、「シール材により封止された外周部に表示を行わない表示外領域と、その内側に表示を行う表示領域とが存在し」と、上位概念化したものである。　  
 　そうすると、本件発明の構成要件の全てを含む本件補正発明が、前記２．（４）に記載したとおり、上記先願明細書記載の発明と同一であるから、本件発明も、同様の理由により、上記先願明細書記載の発明と同一である。　 　  
 （４）むすび 　  
 　以上のとおり、本件発明は、先願明細書に記載された発明と同一であり、しかも、本件発明の発明者がその出願前の特許出願に係る上記発明をした者と同一ではなく、また本件発明の出願の時において、その出願人が上記発明の出願人とも同一でもないので、本件発明は特許法第２９条の２の規定により、特許を受けることができない。  
  
 　よって、結論のとおり審決する。